(57)【特許請求の範囲】
【請求項１】
おむつまたは失禁ガードのような吸収性物品であって、
前記物品（１）が液体透過性のトップシート（２）、実質的に液体不透過性のバックシート（３）及びそれらの間に封入された吸収体（４）を含み、前記物品がフロント部（５）、バック部（６）及びそれらの間の股部（７）を持ち、かつ更に物品がパンツ状形状をとるような方法で物品のバック部（６）に及び物品のフロント部（５）に取り付けられたまたは取り付けられることを意図したベルト（９，９′）を備えており、
更にベルトがパンツの腰部の一部を形成し、かつ外側（１１，１１′）と使用者と直接接触することを意図している内側（１２，１２′）とを持つものにおいて、
ベルトが第一ベルト半分体（９）と第二ベルト半分体（９′）を含み、
それらがそれらの端部の一つで前記内側（１２，１２′）の結合領域（１３，１３′）内でトップシート（２）に永久的に取り付けられており、
前記取り付けは、
前記ベルト半分体（９，９′）が互いに重ねられて前記トップシートに対置されるときそれらの全長に沿ってそれらが実質的に平坦のまま残るようになされ、
かつ前記結合領域に形成されている結合部（１４，１４′）が吸収性物品が使用されるとき前記使用者から離れる方向に外向きに押圧されるようになされており、
補強材料片が前記トップシートの対向縁部に永久的に取り付けられていること、及び結合領域内で前記ベルト半分体の一端の内側が前記トップシートに前記補強材料片を介して取り付けられていることを特徴とする吸収性物品。
【請求項２】
補強材料片が弾性材料を含むことを特徴とする請求項１に記載の吸収性物品。
【請求項３】
フックとループ締結手段のフック部材（１５）が前記ベルト半分体（９′）の前記内側（１２′）の一つに設けられており、更に他のベルト半分体（９）の外側（１１）がループ材料を提供することを特徴とする請求項１または２に記載の吸収性物品。
【請求項４】
フックとループ締結手段のフック部材がベルト半分体の一つの外側に設けられており、更に他のベルト半分体の内側がループ材料を提供することを特徴とする請求項１または２に記載の吸収性物品。
【請求項５】
液体透過性のトップシート（２）、実質的に液体不透過性のバックシート（３）及びそれらの間に封入された吸収体（４）を含み、物品長（３１６）と物品幅（３１７）を持ち、前記トップシート（３０２）の幾つかが前記物品長の第一端の第一線（３２４）に沿ってかつ前記物品長の第二対向端の第二線（３２５）に沿って切断されるキャリヤウェブ（３１８）の形で提供される、おむつまたは失禁ガードのような、吸収性物品を製造するための方法であって、
前記物品がフロント部（５）、バック部（６）及びそれらの間の股部（７）を持ち、かつ更に物品がパンツ状形状をとるような方法で、物品のバック部（６）にかつ物品のフロント部（５）に取り付けられたまたは取り付けられることを意図したベルト（９，９′）を備えており、
更にベルトがパンツの腰部の一部を形成し、かつ外側（１１，１１′）と、使用者と直接接触することを意図している内側（１２，１２′）とを持つものにおいて、
この方法が第一ベルト半分体（９）と第二ベルト半分体（９′）をそれらの端部の一つで前記内側（１２，１２′）の結合領域（１３，１３′）内で前記トップシート（２）に永久的に取り付けることを含み、
前記取り付けは、
前記ベルト半分体（９，９′）が互いに重ねられて前記トップシートに対置されるときそれらの全長に沿ってそれらが実質的に平坦のまま残るようになされ、
かつ前記結合領域で形成された結合部（１４，１４′）が吸収性物品が使用されるとき使用者から離れる方向に外向きに押圧されるようになされており、
補強材料片（３２３，３２３′）が前記物品長（３１６）を含む間隔で前記キャリヤウェブ（３１８）の対向縁部に対として永久的に取り付けられること、
及び、互いに隣接して前記第一ベルト半分体（３０９）の幾つかを含む第一ウェブ（３１９）と互いに隣接して前記第二ベルト半分体（３０９′）の幾つかを含む第二ウェブ（３２０）が前記第一ベルト半分体（３０９）の一つと前記第二ベルト半分体（３０９′）の一つを提供するために切断されること、
これらベルト半分体は前記ベルト（３０９，３０９′）を持つ吸収性物品を提供するためにキャリヤウェブ（３１８）を切断する前に、それらの端部の一つにおいて前記補強材料片（３２３，３２３′）に結合領域（３１３，３１３′）内で永久的に取り付けられることを特徴とする方法。
【請求項６】
補強材料片（３２３，３２３′）が前記物品幅（３１７）の外側に延びるように適用されることを特徴とする請求項５に記載の方法。
【請求項７】
弾性材料が前記補強材料片（３２３，３２３′）に用いられることを特徴とする請求項５または６に記載の方法。
【請求項８】
前記方法が縦方向製造のためのおむつ製造機または対応する機械により実施されることを特徴とする請求項５，６または７に記載の方法。
【請求項９】
前記第一ウェブ（１１９；２１９；３１９）及び／または前記第二ウェブ（１２０；２２０；３２０）がフックとループ締結手段に含まれることを意図したフック材料部分（１１５；２１５；３１５）を含むことを特徴とする請求項５から８のいずれか一つに記載の方法。
【請求項１０】
前記結合領域（１１３，１１３′；２１３，２１３′；３１３，３１３′）が熱または超音波による熱結合により作られることを特徴とする請求項５から９のいずれか一つに記載の方法。
【請求項１１】
前記結合領域が接着により作られることを特徴とする請求項５から９のいずれか一つに記載の方法。
【請求項１２】
二つのベルト半分体が同時にキャリヤウェブ（１１８；２１８；３１８）に永久的に取り付けられることを特徴とする請求項５から１１のいずれか一つに記載の方法。
【発明の詳細な説明】
【０００１】
技術分野
本発明はベルトを備えているおむつまたは失禁ガードのような吸収性物品に関する。この発明は更にかかる吸収性物品を製造する方法に関する。
【０００２】
発明の背景
幼児または成人のための使い捨ておむつのような吸収性物品は通常物品の端部に取り付けられた一対の締結タブを含む締結システムを備えている。一般に、吸収性物品は横たわっている使用者に適用される。締結タブは物品の他端部に設けられた受け部材と係合することを意図している。かかる締結システムは例えばおむつが幼児に適用されるとき満足されるが、失禁おむつが成人使用者に適用されるとき、特に使用者がおむつを彼自身／彼女自身で着用したい場合に問題が起こるかもしれない。
【０００３】
ベルトを備えた吸収性物品、いわゆるベルトおむつは立っている使用者に着用するのは容易である。ベルト付き吸収性衣料品が例えば国際特許出願ＰＣＴ／ＳＥ９９／０１９７５及びスウェーデン特許５１４３７０号に開示されている。
【０００４】
更に、国際特許出願ＷＯ  ９９／３７２６３はベルトおむつのようなベルト付き衣料品を製造するための方法と装置を開示し、それは第一ベルト半分体と第二ベルト半分体を含み、それら両者は縦延長部を持つ。第一と第二ベルト半分体が固定されるキャリヤウェブは第一表面と第二表面を持つ。
【０００５】
ＷＯ  ９９／３７２６３による方法は第一ベルト半分体と第二ベルト半分体を部分重複関係で置く段階を含み、従って第一ベルト半分体の第一端領域と第二ベルト半分体の第一端領域は重複領域内で互いに接触し、そこでは第一ベルト半分体の第二端領域と第二ベルト半分体の第二端領域は覆われないまま残る。この方法は更に一時的ラミネートを作るために第一と第二ベルト半分体の第一端領域を解放可能に結合する段階を含んでおり、キャリヤウェブの第一表面と一時的ラミネートを相互接触させ、従ってキャリヤウェブの第一表面はベルト半分体の第一端領域の重複領域内でラミネートと接触し、かつ第一ベルト半分体の第二端領域の少なくとも一部と第二ベルト半分体の第二端領域の少なくとも一部をキャリヤウェブの第二表面と接触させる。
【０００６】
既知のおむつ及びベルトを備えた吸収性衣料品が困難な適用の持つ上述の問題の幾つかを解決したとしても、なお改善の余地がある。
【０００７】
先行技術による吸収性物品及び衣料品は、例えば主として物品のベルトを適用するとき皮膚に対して直接押圧される突出する結合部及び材料縁の存在のために、使用者により時には不快なものとして知覚されるかもしれない。快適さが関係するところでは、使用者の腰に対して内向きに押圧されたかかる縁が物品が着用されたときベルトの下に発生しないベルトを持つ吸収性物品または衣料品を提供可能とすることは従って主要な利点であるであろう。
【０００８】
更に、吸収性物品の製造時のそれらへのベルトの適用は多数の異なる工程段階、中間ラミネート、等により通常複雑となる。ある場合には、これは操業性問題及び低生産速度をもたらした。この理由のため、ベルトを持つ吸収性物品または衣料品を供給するための簡単で生産効率的方法に対する要求がある。
【０００９】
発明の概要
従って、本発明の第一目的は使用者の皮膚に対して押圧されるかもしれない内向きに突出する結合部及び材料緑を持つ上述の問題を排除するベルトを持つ吸収性物品を提供することにあり、この物品は使用者が最高の可能な快適度を持って物品を着用できることを確実とする。
【００１０】
請求項１によれば、この第一目的は液体透過性のトップシート、実質的に液体不透過性のバックシート及びそれらの間に封入された吸収体を含むおむつまたは失禁ガードのような吸収性物品であって、それがフロント部、バック部及びそれらの間の股部を持ち、それが更に物品がパンツ状形状をとるような方法で物品のバック部及び物品のフロント部に取り付けられたまたは取り付けられることを意図したベルトを備えており、ベルトはパンツの腰部の一部を形成し、外側と使用者と直接接触されることを意図している内側とを持つ吸収性物品により達成される。この発明によれば、ベルトは第一と第二ベルト半分体を含み、それらはそれらの端部の一つで内側の結合領域内でトップシートに永久的に取り付けられ、その取り付け方法はベルト半分体が互いに重ねられてトップシートに対置されるときそれらの全長に沿って実質的に平坦のまま残るような方法であり、かつ結合領域で作られた結合部が吸収性物品が使用されるとき使用者から離れる方向に外向きに押圧されるようなものである。
【００１１】
本発明の第二目的は、この発明による吸収性物品を製造するための簡単で製造効率のよい方法を提供することである。
【００１２】
請求項５によれば、この第二目的は液体透過性のトップシート、実質的に液体不透過性のバックシート及びそれらの間に封入された吸収体を含むおむつまたは失禁ガードのような吸収性物品であって、それがフロント部、バック部及びそれらの間の股部を持ち、更に物品がパンツ状形状をとるような方法で物品のバック部にかつ物品のフロント部に取り付けられたまたは取り付けられることを意図したベルトを備えており、そこではベルトがパンツの腰部の一部を形成しかつ外側と使用者と直接接触することを意図している内側とを持つものを製造する方法により達成される。この発明によれば、この方法は第一及び第二ベルト半分体をそれらの端部の一つにおいて内側の結合領域内でトップシートに永久的に取り付けることを含み、この取り付け方法はベルト半分体が互いに重ねられてトップシートに対置されるときそれらの全長に沿って実質的に平坦のまま残るような方法であり、かつ結合領域に作られた結合部が吸収性物品が使用されるとき使用者から離れる方向に外向きに押圧されるような方法である。
【００１３】
本発明の更なる目的は以下の説明から明らかとなるであろうし、これらの更なる目的を達成可能とする特徴は従属請求項に掲げられる。
【００１４】
図面の簡略説明
以下に、この発明が添付図面に関してより詳細に説明されるであろう。図面において、
図１はこの発明の好適実施例による吸収性物品を概略的にかつ破断部を伴って示し、
図２は横方向製造を意図しているこの発明の第一の特に好適な実施例による方法を概略的に示し、
図３は図２のウェブ１１８の上部縦縁部を通した断面であり、
図４はこれまた横方向製造を意図しているこの発明の第二の有利な実施例による方法を概略的に示し、
図５は図４のウェブ２１８の上部縦縁部を通した断面であり、そして
図６は縦方向製造を意図しているこの発明の代替実施例による方法を概略的に示す。
【００１５】
好適実施例の詳細な説明
図１はこの発明の好適実施例による吸収性物品、より詳細には失禁を患っている成人のためを意図したベルトおむつを概略的に示す。しかし、この発明は成人おむつに限定されず、若年者または幼児により使用されることを意図しているこの発明による吸収性物品または衣料品もまた考えられる。
【００１６】
吸収性物品１は液体透過性のトップシート２、実質的に液体不透過性のバックシート３及びそれらの間に封入された吸収体を含む。液体透過性のトップシート２は不織材料、例えば連続フィラメントのスパンボンド材料、メルトブロー材料、結合されカードされた繊維材料、または他の柔らかくて可撓性の液体透過性材料からなることができる。実質的に液体不透過性のバックシート３はプラスチックフィルム、液体不透過性材料で被覆された不織材料、疎水性不織材料、または他の液体透過に抵抗する可撓性材料からなることができる。
【００１７】
トップシート２とバックシート３は吸収体４より幾らか大きい平面広がりを持ち、その縁を越えて延びる。層２と３はそれらの突出部内で、例えば接着または熱または超音波による溶接により、互いに付着される。
【００１８】
吸収体４は通常の形式のどのようなものでもよい。一般に見られる吸収性材料の例はセルロース系フラッフパルプ、ティッシュ層、高吸収性高分子（いわゆる超吸収剤）、吸収性発泡材料、吸収性不織材料及び同様物である。吸収体内にセルロース系フラッフパルプと超吸収剤を組み合わせるのは普通である。また液体捕捉能力、分散能力及び貯蔵容量が関連するときに種々の性質を持つ種々な材料の層を含む吸収体によるのは普通である。これは当業者には周知であり従って詳細に述べられないであろう。吸収体は好ましくは、しかし必須ではないが、比較的薄い形式のものであり、それは今や例えば赤ん坊のおむつ及びある形式の失禁ガードでは普通であり、それは超吸収剤とセルロース系フラッフパルプの圧縮された、混合されたまたは層状とされた構造を含む。
【００１９】
おむつ１は吸収性パンツとして着用者の胴体の下方部を囲むことを意図している。それは使用時に使用者の体の前部に対して付けられているを意図しているフロント部５、使用時に使用者の体の後部に対して付けられていることを意図しているバック部６及び使用時に使用者の足の間の股領域内に位置することを意図しているフロント部とバック部の間の狭い股部７を含む。フロント部５は有利には一対の粘着性テープタブまたは他の適当な締結部材を備えており、好ましくはしばしばフックとループ締結手段または“ベルクロ”閉鎖具と呼ばれる形式の締結素子に属するフック部材８を備えている。
【００２０】
物品は更に物品がパンツ状形状をとるような方法で物品のバック部６にかつ物品のフロント部５に取り付けられたまたは取り付けられることを意図したベルト９，９′を備えている。それにより、ベルト９，９′はパンツの腰部の一部を形成するであろうし、かつ外側１１，１１′及び使用者と直接接触することを意図している内側１２，１２′を持つ。
【００２１】
この発明による吸収性物品１において、ベルトは第一ベルト半分体９と第二ベルト半分体９′を含み、それらはそれらの端部の一つでベルト内側１２，１２′の結合領域１３，１３′内でトップシート２に永久的に取り付けられる。この発明によれば、ベルト半分体９，９′は互いに重ねられてトップシートに対置されるときそれらの全長に沿って実質的に平坦のまま残るような方法で、かつ結合領域で作られる結合部１４，１４′が吸収性物品が使用されるとき使用者から離れる方向に外向きに押圧されるような方法で取り付けられる。
【００２２】
例えば、第二ベルト半分体９′とこの発明による残りの吸収性物品１との間の結合部１４′は使用時に使用者の腰に向けて内向きに突出しまたは延び、使用者の皮膚に対して押圧され、これを刺激する如何なる材料縁も示さないであろう。この発明によれば、結合部はそれに代えて共通端部で互いに重ねて二つの材料層を結合することにより形成されるであろう。その後で層は互いから離れるように折り曲げられ、結合部は“立ち上がった”位置をとるであろう。そこでは結合部１４′は外向きにかつ使用者から離れようとする。これに代えて、立ち上がった結合部は材料層の一つに対して折りたたまれ、それと平行に置かれ、従って使用者に向けて内向きに面する実質的に滑らかな表面が得られる。これはまた第一ベルト半分体９の対応する結合部１４または部分に適用される。従って、この発明による吸収性物品１のトップシート２にベルト半分体９，９′が取り付けられている結合部１４，１４′または取り付け領域は非常に低い接触圧力を示しまたは使用者の皮膚と全く接触しないことさえあろう。これは通常のベルトおむつがパンツ状形状の残りの腰バンドに沿ってよりもベルト取り付け領域で使用者の皮膚に対してより高い接触圧力を起こすであろうから、むしろ注目されるべきである。本発明によりベルト取り付け領域または結合部１４，１４′で得られる使用者の腰に対する低いまたは存在しない接触圧力はこの発明による吸収性物品を最高に可能な快適度で着用できることを確実とする。
【００２３】
この発明による吸収性物品の代替実施例において、補強材料片（図６にだけ示される）がトップシートの対向縁部に永久的に取り付けられており、そこでは結合領域内のベルト半分体の一端の内側が補強材料片を介してトップシートに取り付けられている。この実施例においてもまた、内向きに延び、使用者の皮膚に対して局部的に高すぎる圧力を及ぼす材料縁はベルト取り付け領域に作られないであろう。有利には、補強材料片は弾性材料を含み、それは吸収性物品の使用者に改善された快適性を与える。
【００２４】
この発明による吸収性物品がベルト半分体の取り付け領域で使用者の皮膚に対して非常に低い接触圧力を与えまたは全く与えないという事実に加えて、二つに分かれたベルト設計は使用者の背部に対して局部的に発生する高すぎる使用者の皮膚に対する接触圧力の如何なる危険も与えない。この理由はもちろん使用者の背部に対して内向きに押圧される材料縁が存在しないからである。なぜならベルト半分体は使用者の背部側の腰部周りに連続しないからである。
【００２５】
ベルト半分体９，９′は結合領域１３，１３′内のトップシート２に適当な方法のいずれかにより、接着によりまたは有利には熱による熱結合により、しかし好ましくは超音波による熱結合により取り付けられることができる。ベルト半分体は使用時に、例えばテープタブにより、好ましくはフックとループ締結手段により一緒に締結することができることを意図したそれらの対向端部を持っている。特に有利には、フックとループ締結手段のフック部材１５がベルト半分体９′の内側１２′の一方に設けられることができ、そこでは他のベルト半分体９の外側１１がこのフック部材と相互作用するループ材料を提供する。これに代えて、フック部材がベルト半分体の一方の外側に設けられ、他のベルト半分体の内側にループ材料が設けられることができる。
【００２６】
上に検討した締結部材８またはフロント部５の上の対応する締結部材はおむつを希望のパンツ状形状に一緒に締結するためにベルト半分体９，９′の外側１１，１１′に対して取り付けられることを意図している。締結部材８は好ましくはフック部材であるが、また他の適当な形式のものであることができる。
【００２７】
ベルト半分体９，９′は目的に適したどのような材料からもなることができ、例えばベルトの外側を形成する外側材料１１，１１′とベルトの内側を形成しかつ使用者の皮膚と直接接触することを意図している特に柔らかい不織材料１２，１２′とからなるラミネートからなることができる。かかるラミネートにおいて、外側材料は例えばプラスチックフィルムであることができ、内側材料は低結合度を持つポリプロピレンまたはポリエチレンのスパンボンド材料であることができる。好適実施例において、外側材料及び／または内側材料がループ材料として機能すべきであるところでは、ベルトの外側及び／または内側はもちろん締結システムのフック部材と相互作用することのできる材料からなるかまたはその材料部分を含むべきである。
【００２８】
添付図２と３は吸収性物品の横方向製造を意図しているこの発明の第一の好適実施例を概略的に示す。この明細書において、横方向製造はおむつ製造機の機械方向に横向きに配置された吸収性物品により製造が行われることを意味する。
【００２９】
この発明による方法は、液体透過性のトップシート２、実質的に液体不透過性のバックシート３及びそれらの間に封入された吸収体４を含む、おむつまたは失禁ガードのような吸収性物品(図１参照）を製造することを意図している。吸収性物品はフロント部５、バック部６及びそれらの間の股部７を持ち、更に物品がパンツ状形状をとるような方法で物品のバック部６にかつ物品のフロント部５に取り付けられたまたは取り付けられることを意図したベルト９，９′を備えており、そこではベルトはパンツの腰部の一部を形成し、外側１１，１１′と使用者と直接接触することを意図している内側１２，１２′とを持つ。
【００３０】
この発明によれば、この方法は第一ベルト半分体９と第二ベルト半分体９′をそれらの端部の一つで前記内側１２，１２′の結合領域１３，１３′内で前記トップシート２に永久的に取り付けることを含み、その取り付け方法はベルト半分体９，９′が互いに重ねられてトップシートに対置されるときそれらの全長に沿って実質的に平坦のまま残るような方法であり、かつ結合領域で形成された結合部１４，１４′が吸収性物品が使用されるとき使用者から離れる方向に外向きに押圧されるような方法である。
【００３１】
この発明による方法の好適実施例において、吸収性物品は物品長１１６；２１６及び物品幅１１７；２１７を持ち、トップシート１０２；２０２の幾つかがキャリヤウェブ１１８；２１８の形で提供される。
【００３２】
この様式で、第一ウェブ１１９；２１９は物品幅１１７；２１７の第一端の第一結合領域１１３；２１３内でキャリヤウェブ１１８；２１８に結合され、一方一物品幅１１７；２１７により変位されかつ部分的に第一ウェブ１１９；２１９の上に置かれた第二ウェブ１２０；２２０は物品幅の第二対向端の第二結合領域１１３′；２１３′内でキャリヤウェブに結合される。その後で、吸収性物品にベルト１０９，１０９′；２０９，２０９′を与えるために、第一ウェブとキャリヤウェブは第一結合領域１１３；２１３を分割する第一線１２１；２２１に沿って切断され、一方第二ウェブとキャリヤウェブは第二結合領域１１３′；２１３′を分割する第二線１２２；２２２に沿って切断される。
【００３３】
この発明による方法の好適実施例において、第一ウェブ１１９；２１９及び第二ウェブ１２０；２２０は両方とも物品幅１１７；２１７の二倍より短い。しかし、この発明の範囲内で、第一と第二ウェブが物品幅の二倍より大きな長さを持つ実施例、例えばベルト半分体の自由端の一方または両方が二倍である実施例も考えられる。
【００３４】
図２と３に示された特に好適な実施例において、第一ウェブ１１９は第一ベルト半分体１０９の二つを含み、一方第二ウェブ１２０は第二ベルト半分体１０９′の二つを含む。これに代えて、第一ウェブが第二ベルト半分体の二つを含み、第二ウェブが第一ベルト半分体の二つを含むことができる。
【００３５】
この発明による方法の第二の有利な特に図４と５に示された実施例において、第一ウェブ２１９と第二ウェブ２２０の両方が第一ベルト半分体２０９の一つと第二ベルト半分体２０９′の一つを含む。
【００３６】
図６は縦方向製造、すなわち吸収性物品の長手方向が製造時のおむつ製造機の機械方向に動くことを意図しているこの発明の代替実施例による方法の概略図である。
【００３７】
この発明による方法の代替実施例において、吸収性物品は物品長３１６と物品幅３１７を持ち、トップシート３０２の幾つかがキャリヤウェブ３１８の形で提供され、それは物品長の第一端で第一線３２４に沿ってかつ物品長の第二の対向端で第二線３２５に沿って切断される。
【００３８】
代替実施例において、補強材料片３２３，３２３′が対として物品長３１６に対応する間隔でキャリヤウェブ３１８の対向縁部に永久的に取り付けられる。互いに隣接して第一ベルト半分体３０９の幾つかを含む第一ウェブと互いに隣接して第二ベルト半分体３０９′の幾つかを含む第二ウェブ３２０は第一ベルト半分体３０９の一つと第二ベルト半分体３０９′の一つを提供するために切断され、それらはベルト３０９，３０９′を持つ吸収性物品を提供するためにキャリヤウェブ３１８を切断する前に、それらの端部の一つで補強材料片３２３，３２３′に結合領域３１３，３１３′内で永久的に取り付けられる。
【００３９】
代替実施例において、補強材料片３２３，３２３′は好ましくは物品幅３１７の外側に延びるように適用される。これはベルト端部を補強材料片に取り付けるための超音波ホーンまたは別の結合装置の設置を容易とする。
【００４０】
上述のように、弾性材料が有利に補強材料片３２３，３２３′に用いられる。
【００４１】
この発明による方法において、好ましくは第一ウェブ１１９；２１９；３１９及び／または第二ウェブ１２０；２２０；３２０はフックとループ締結システムに含まれることを意図したフック材料部分１１５；２１５；３１５を含む。
【００４２】
上述の結合領域１１３，１１３′；２１３，２１３′；３１３，３１３′は接着によっても作られることができるけれども、それらは有利には熱によるまたは好ましくは超音波による熱結合により作られる。
【００４３】
この発明による方法において、好ましくは二つのベルト半分体が、直接にまたは補強材料片３２３，３２３′を介してのいずれかで、キャリヤウェブ１１８；２１８；３１８に同時に永久的に取り付けられる。これは工程段階の数を減らし、より効率的な製造をもたらす。
【００４４】
前述から明らかとなったように、この発明による方法は横方向製造のためのおむつ製造機または対応する機械により、またはこれに代え、縦方向製造のための機械により実施されることができる。かかる機械は商業的に入手可能であり、この発明を実行することができるようにかかる機械を適合させる本発明についての知識を持つ当業者にはどのような困難も提起しないだろう。従って、基本技術及びおむつを製造するための必要な装置をここで述べる必要はない。
【００４５】
前述において、本発明が幾つかの実施例によりかつ添付図面に関して述べられた。しかし、この発明は上述されたまたは図面に示された特定の実施例に決して限定されず、その代わりにこの発明の範囲は特許請求の範囲により規定される。
【図面の簡単な説明】
【図１】この発明の好適実施例による吸収性物品を概略的にかつ破断部を伴って示す。
【図２】横方向製造を意図しているこの発明の第一の特に好適な実施例による方法を概略的に示す。
【図３】図２のウェブ１１８の上部縦縁部を通した断面である。
【図４】横方向製造を意図しているこの発明の第二の有利な実施例による方法を概略的に示す。
【図５】図４のウェブ２１８の上部縦縁部を通した断面である。
【図６】縦方向製造を意図しているこの発明の代替実施例による方法を概略的に示す。
【図１】
0004316837.tif 000002
【図２】
0004316837.tif 000003
【図３】
0004316837.tif 000004
【図４】
0004316837.tif 000005
【図５】
0004316837.tif 000006
【図６】
0004316837.tif 000007